(57)【要約】【課題】ＭＥＭＳと呼ばれるセンサが活用された撮影装置を提供することを目的とする。【解決手段】ＭＥＭＳと呼ばれる角速度センサを用いて撮影処理を行なうようにする。例えばホットシュー１４にバイブレータ機能付きの携帯電話機２を装着することができるようにしておいて、外部からその携帯電話機に向けて電話をかけるようにする。ホットシュー１４に装着された方の携帯電話機２を、着信時にバイブレータが作動するようにマナーモードに切り替えておいて、別の携帯電話機から発呼して着信時に携帯電話機を振動させる。上記角速度センサによりその振動が検出されたらその検出を受けて内部のマイクロコンピュータが各部に撮影処理を開始させる。【選択図】  図４
2007047603.tif 000002
【特許請求の範囲】
【請求項１】
撮像素子上に被写体像を結像し画像データを生成して記録する撮影装置において、
振動を検出するセンサと、
前記センサによる振動検出を撮影指示と認識し画像データの生成および記録を行なう撮影部とを備えたことを特徴とする撮影装置。
【請求項２】
外部からの撮影指示を受信して振動するリモコン受信装置が着脱自在に装着される装着具を備えたことを特徴とする請求項１記載の撮影装置。
【請求項３】
この撮影装置が、撮影指示に同期して被写体に向けてフラッシュ光を発光するフラッシュ装置が着脱自在に装着されるホットシューを備えたものであり、
前記装着具が、前記リモコン受信装置の装着を受けるリモコン装着部と、該装着具が前記ホットシューに装着されるホットシュー装着部とを有するものであることを特徴とする請求項２記載の撮影装置。
【請求項４】
前記リモコン受信装置が、バイブレータ機能付きの無線携帯端末であることを特徴とする請求項２又は３記載の撮影装置。
【発明の詳細な説明】
【技術分野】
【０００１】
撮像素子上に被写体像を結像し画像データを生成して記録する撮影装置に関する。
【背景技術】
【０００２】
最近、半導体技術の向上に伴って半導体中に機械的なセンサ（圧電素子のようなもの）を一体的に組み込むことができるようになってきている。このように半導体中に機械的なセンサが一体的に組み込まれて小型化が図られるようになると、ほとんどの携帯機器にこの小型のセンサが組み込まれるようになる。このようなセンサは、ＭＥＭＳ（Ｍｉｃｒｏ−Ｅｌｅｃｔｒｏ−Ｍｅｃｈａｎｉｃａｌ  Ｓｙｓｔｅｍ）と呼ばれている。
【０００３】
ところで、一般的にデジタルカメラに限らずカメラには大抵レリーズ操作用のレリーズボタンが配備されていて、そのレリーズボタンが押されたときに撮影処理が開始される。しかしながら、レリーズボタンを押すという操作により撮影を行なうということは一種の固定観念であり、よくよく考えてみると撮影を行なうのに特にレリーズボタンを押す必要はない。
【０００４】
このようにレリーズボタンを押す必要がないことを示すものの一つに、リモコン装置側から撮影開始を通知する信号を供給することで撮影処理が開始されるようなものがある。
このようなものの中にはタイマを作動させる信号を供給してタイマ動作終了時にレリーズ処理を開始させるものもある。
【０００５】
このような観点および上記機械的なセンサを活用するという立場に立つと、上記センサを何らかの外力により作動させることにより撮影処理を即時開始させたり、所定の時間経過後に撮影を開始させたりするようなことができないものかと考える人もいる。
【０００６】
上記ＭＥＭＳの中には、半導体技術の中の微細加工技術を用いてアクチュエータ部分を例えば圧電素子で構成することにより、角速度センサ等が組み込まれているものが多いので、例えば携帯機器を持ち歩いているときとは異なる、明らかに指示と分かるような一定の振動を携帯機器に与えて上記ＭＥＭＳと呼ばれるセンサにその振動を検出させるようなことを行なって撮影部に撮影処理を開始させるようなことが行なえるとＭＥＭＳの活用に繋がる。
【０００７】
特許文献１〜特許文献３のものには、バイブレータ機能を用いてユーザに対して何かの異変を報知する技術や特許文献４のものには撮影装置の振動を検知してユーザに撮影失敗の危険性があることを知らせる技術が提案されているが、撮影装置が振動していることをセンサで検出して撮影装置の動作を制御しようというものはまだ提案されていない。
【特許文献１】特開２００２−１５２３４１号公報
【特許文献２】特開２００１−８３５９５号公報
【特許文献３】特開２００１−１６５６０号公報
【特許文献４】特開２００３−８４３５３号公報
【発明の開示】
【発明が解決しようとする課題】
【０００８】
上記事情に鑑み、上記ＭＥＭＳと呼ばれるセンサが活用された撮影装置を提供することを目的とする。
【課題を解決するための手段】
【０００９】
上記目的を達成する本発明の撮影装置は、撮像素子上に被写体像を結像し画像データを生成して記録する撮影装置において、
振動を検出するセンサと、
上記センサによる振動検出を撮影指示と認識し画像データの生成および記録を行なう撮影部とを備えたことを特徴とする。
【００１０】
上記本発明の撮影装置によれば、この撮影装置に外部から力を加えることによりこの撮影装置を振動させることにより上記センサにその振動を精度良く検出させることによって撮影部に撮影処理を開始させるようなことができる。このときにはＭＥＭＳと呼ばれるセンサの精度がかなり上がっていることを利用して、例えばバイブレータ等を用いて所定の振動範囲であってしかも細かな振動を継続させるようにしておいて、その細かな振動をセンサにより精度良く検出させるようにすればＭＥＭＳを用いた効果がより一層顕著に現われるようになる。
【００１１】
ここで上記本発明の撮影装置が、外部からの撮影指示を受信して振動するリモコン受信装置が着脱自在に装着される装着具を備えた態様であることが好ましい。
【００１２】
上記装着具に上記リモコン装置の受信部を装着するようにしておくと、バイブレータ機能付きのリモコン受信装置を内蔵する必要がなくなる。さらにリモコンを用いたいと思ったときにはリモコン受信装置を装着しておくことで、リモコン送信装置からの送信によりそのリモコン受信装置を振動させることにより上記撮影部にその振動を撮影指示と認識させて撮影処理を開始させることができる。
【００１３】
このとき撮影部が振動を撮影指示と認識するにあたっては、上記センサにＭＥＭＳを用いたことによって検出精度がかなり上がっているので振動が検出された瞬間を撮影の開始指示としたり、振動の振れ幅が所定の範囲内であってしかも所定の時間続いた後、振動が収まった瞬間を撮影の開始指示としたりすることもできる。
【００１４】
このようにしておくと、シャッタチャンスに撮影装置にすぐに撮影を開始させたり、セルフタイマを作動させる代わりに振動が終了したことを以って撮影を開始させたりすることができる。
【００１５】
また、この撮影装置が、撮影指示に同期して被写体に向けてフラッシュ光を発光するフラッシュ装置が着脱自在に装着されるホットシューを備えたものであり、
上記装着具が、上記リモコン受信装置の装着を受けるリモコン装着部と、その装着具が上記ホットシューに装着されるホットシュー装着部とを有するものであることが好ましい。
【００１６】
上記によれば上記装着具のリモコン装着部にリモコン受信装置が装着されさらにその装着具のホットシュー装着部が上記ホットシューに装着されることによって、リモコン受信部が着脱自在にホットシューに装着される。
【００１７】
そうすると、上記ホットシューに着脱自在に上記リモコン受信装置が装着されるようになるので、遠隔操作により撮影を行ないたいときにだけ、リモコン受信装置を装着するようなことが行なえる。
【００１８】
さらに上記リモコン受信装置は、バイブレータ機能付きの無線携帯端末であっても良い。
【００１９】
そうすると、専用のリモコン送受信装置を製作することなく、バイブレータ機能付きの無線携帯端末を用いることができるようになってこの撮影装置の低コスト化および小型化が図れる。
【発明の効果】
【００２０】
以上、説明したように、上記ＭＥＭＳと呼ばれるセンサが活用された撮影装置が実現される。
【発明を実施するための最良の形態】
【００２１】
以下図面を参照して本発明の実施の形態を説明する。
【００２２】
図１は、本発明の一実施形態であるデジタルカメラ１の外観を示す図である。
【００２３】
図１に示すようにカメラボディ１ａの中央にレンズ鏡胴１０が配備されており、そのレンズ鏡胴１０に内蔵されている撮影レンズ１０ａを通して被写体が内部のＣＣＤ固体撮像素子（以降ＣＣＤという）まで導かれるようになっている。カメラボディ１ａ上面にはシャッタボタン１１が備えられており、そのシャッタボタン１１が押されると撮影が開始される。また、レンズ鏡胴１０の左斜め上方にはリモコン受信装置１２が設けられており、そのリモコン受信装置１２に向けてリモコン送信装置１２０から信号が送信されてきても撮影が開始されるようになっている。この実施形態のデジタルカメラ１においては、このリモコン受信装置１２に内蔵されているバイブレータが受信時に振動するとその振動が後述する角速度センサにより検出され撮影処理が開始される。また、外部フラッシュ装置が着脱自在に装着されるホットシュー１４も備えられている。
【００２４】
図２は、図１のデジタルカメラ１の内部の構成を説明する構成ブロック図である。
【００２５】
このデジタルカメラ１の動作は統括的にマイクロコンピュータ１００により制御されている。マイクロコンピュータ１００は周知の通りＣＰＵとＲＯＭとＲＡＭとＩＯとを備えており、ＩＯを通して入力されてくる信号を受けてＣＰＵ１００がマイクロコンピュータ内のＲＯＭに格納されているプログラムに基づいて処理を実行する。この処理を実行するに当たっては、処理中に処理に必要な変数を適宜書き換える必要があるのでその変数を一時ＲＡＭに格納して円滑な処理を行なうことができるようにもしている。
【００２６】
このマイクロコンピュータ１００のＩＯ部のＩ（ｎｐｕｔ）つまり信号が入力される入力部側の構成をまず説明する。
【００２７】
マイクロコンピュータ１００の入力部には、図１に示したシャッタボタン１１を初めとして、図１の背面側に配備されている変倍用レバー１５や電源ボタン１６、さらに操作部１７からの信号が供給されている。
【００２８】
また、前述のＭＥＭＳからなる角速度センサ１１１の出力信号がアンプ１１２を介してＡ／Ｄ変換手段１１３を経てマイクロコンピュータ１００の入力部に供給されている。さらにリモコン送受信部１２，１３からの信号がマイクロコンピュータ１００の入力部に供給されている。リモコン送信装置１３からの送信信号をリモコン受信装置１２により受信して受信した内容がマイクロコンピュータ１００に供給されるほか、このリモコン送受信部の受信部側を構成するリモコン受信装置にはバイブレータが内蔵されているので、リモコン送信部１３からの信号をそのリモコン受信装置１２が受信したときにそのバイブレータが振動しその振動が上記角速度センサによって検出されるようにもなっている。この角速度センサがＭＥＭＳにより構成されている。
【００２９】
本実施形態においては、ＭＥＭＳで構成されている角速度センサ１１１により振動が検出されたときにマイクロコンピュータ１００によってその振動が撮影指示であると認識されてＣＣＤ駆動制御手段１００ａに指示が出されて画像データの生成および記録が開始される。この例では、リモコン装置装置１３からの送信信号をリモコン受信装置１２が受信したときにリモコン受信装置１２内のバイブレータが振動してその振動が角速度センサ１１１に検出され、さらにアンプ１１２、さらにはＡ／Ｄ変換手段１１３を介して検出信号がマイクロコンピュータ１００に供給されたときにその検出信号が表わす振動レベルが所定の範囲内の振動であった場合に撮影指示であることがマイクロコンピュータ１００に認識されるようになっている。
【００３０】
ここで、本実施形態のデジタルカメラ１の撮影動作を説明しておく。
【００３１】
まず、撮影時にファインダ代わりに用いられる表示画面上の被写体像を生成するのに必要な画像信号（以降スルー画信号という）の流れを説明する。
【００３２】
操作部１７内にあるモード切替スイッチが撮影モードに切り替えられている状態にあるときに電源ボタン１５が投入されたらスルー画の生成が開始される。
【００３３】
図１で説明したレンズ鏡胴１０内にある撮影レンズ１０ａでＣＣＤ１０１に被写体像を絶えず結像させていることになるので、マイクロコンピュータ１００はＣＣＤ駆動制御手段１００ａに指示を出してＣＣＤ１０１に露光開始および露光終了信号を所定の間隔毎に供給させるようにして所定の間隔毎にアナログの画像信号を生成させてアナログ信号処理手段１０２へと出力させるようにしている。次段のアナログ信号処理手段１０２でサンプリングノイズなどのノイズ除去処理が行なわれた後、後段のＡ／Ｄ変換手段１０３にアナログの画像信号が供給され、Ａ／Ｄ変換手段１０３でアナログの画像信号がデジタルの画像信号に変換される。
【００３４】
そのデジタルの画像信号に変換された画像信号が後段のデジタル信号処理手段１０４に供給されこのデジタル信号処理手段１０４でデジタル信号に変換されたＲＧＢからなる画像信号の信号処理が行なわれる。
【００３５】
このデジタル信号処理手段１０４には、ＲＧＢ信号の画像信号をＹＣ信号の画像信号に変換する変換部が配備されているほか、露出調整用の測光部（以下ＡＥ部という）と合焦点検出用の測距部（以下ＡＦ部という）も配備されていてそのＡＥ部とＡＦ部との双方で行なわれている測定結果が絶えずマイクロコンピュータ１００に通知されるようになっている。
【００３６】
したがってマイクロコンピュータ１００では、それらの通知を受けてモータ駆動制御手段１２０に指示して駆動モータ１２１を駆動させてフォーカスレンズを絶えず合焦位置に配置させるようにしたり、絞り（図示せず）の開口径を図示しない絞り制御部に調節させたりすることができる。つまり、撮影モードに切り替えられている状態にあるときには、ＣＣＤ１０１に結像させている画像データは、いつでもピントのあった、また露出が最適になるように調節された画像信号になる。
【００３７】
このようにしてＣＣＤ１０１にピントのあった被写体像を結像させてＣＣＤ１０１から所定の間隔ごとに被写体像を表わす画像信号を出力させている。その出力させた画像信号がデジタル信号処理手段１０４でＲＧＢ信号からＹＣ信号に変換されさらにそのＹＣ信号が後段の画像表示部１０５に供給されて画像表示部１０５によってそのＹＣ信号に基づいて画像の表示が行なわれる。ＣＣＤ１０１から所定の間隔ごとに画像信号を出力させている訳であるから、表示画面上の画像の表示も所定の間隔毎に切り替えられて行なわれてあたかも撮影レンズが捉えた被写体がそのまま表示されているかのようなスルー画が表示される。
【００３８】
ここで表示画面上のスルー画を見ながらシャッタチャンスにシャッタボタン１１が押されると、撮影処理が開始される。
【００３９】
本実施形態のデジタルカメラ１が備えるシャッタボタン１１には、半押しと全押しの２つの操作態様が有って半押し時には上記デジタル信号処理手段１０４内のＡＥ部およびＡＦ部による、シャッタボタン１１押下時の露出調整およびピント調整が行なわれ、その後の全押し時に撮影処理が開始されるようになっている。
【００４０】
またスルー画の表示のときには全画素数が大抵必要ないのでＣＣＤ１０１から全画素数よりも少ない画素数で画像信号を出力させていたが、全押し時にはＣＣＤ１０１から全画素の画像信号を出力させることになるので、デジタル信号処理手段１０４から画像記録部１０８に画像信号を供給するときのタイミング調整を行なうため、バッファメモリ（いわゆるＦＩＦＯ）を設けて画像記録部１０８に画像信号を供給するときのタイミング調整を行なうようにもしている。
【００４１】
ここではマイクロコンピュータ１００が画像記録制御手段１０６に指示してバッファメモリ１０７の出力タイミングを調整させてタイミングを調整しながら画像記録部１０８に画像の記録を行なわせるようにしている。
【００４２】
このようにして全押しされたら、画像記録部１０８により例えばメモリカードなどの記録媒体に画像データが記録される。
【００４３】
また、このデジタルカメラ１には、レンズ鏡胴１０内の撮影レンズを手ぶれ補正装置１３１により駆動して機械的に手ぶれ補正を行なうことができるように手ぶれ補正駆動制御手段１３０が配備されている。本実施形態のデジタルカメラでは、シャッタボタンの操作により撮影が行なわれたときに手ぶれが発生した場合には、その手ぶれが角速度センサにより検出されて手ぶれ補正装置１３１により手ぶれの補正が行なわれるようにもなっており、手ぶれ補正用と撮影指示用との双方の機能を角速度センサに持たせて上記ＭＥＭＳの活用を図っている。
【００４４】
ここで、シャッタボタン１１が押下されるのではなく、リモコン送信装置１３からの送信信号が送信されてきたときにその送信を受けてマイクロコンピュータ１００がどのようなときにその送信を撮影指示と認識するかを説明する。
【００４５】
図３は、マイクロコンピュータ１００内のＣＰＵが実行する撮影処理の手順を示すフローチャートである。
【００４６】
ステップＳ３０１でバイブレータの振動レベルつまり振幅値が所定範囲内であるかどうかを判定する。このステップＳ３０２で振動レベルが所定範囲内ではないと判定したらＮ側に進んでステップＳ３０１の処理を繰り返す。ステップＳ３０２で所定範囲内の振動レベルであると判定したときにはＹ側に進んで次のステップＳ３０２へ進む。このステップＳ３０２で受信通知表示を表示画面上に行なって、次のステップＳ３０３でデジタル信号処理部内のＡＥ部をＡＥを実行させ、次のステップＳ３０４でＡＦ部にＡＦを実行させ、さらにステップＳ３０５でデジタル信号処理部内のオートホワイトバランス（ＡＷＢ）部にＡＷＢを実行させる。このようにして測光・測距・ホワイトバランスがすべて調整されたらステップＳ３０６で撮影を開始してステップＳ３０７で表示画面上の撮影通知の表示を行なってこのフローの処理を終了する。
【００４７】
このようにしておくと、バイブレータが作動しているときに所定のレベルの振動を角速度センサ（ＭＥＭＳ）によって検出したときに撮影処理を開始させることができる。
【００４８】
このときに振動開始時刻を撮影処理の開始タイミングとすればすぐに撮影処理を開始させることができ、また振動終了時刻を撮影処理の開始タイミングとすればセルフタイマーと同じ様に所定の時間経過後に撮影を開始させることもできる。
【００４９】
以上説明したように、レリーズボタンを押す操作ではなくデジタルカメラを振動させることによって撮影を開始させることができる撮影装置が実現される。すなわち、振動をＭＥＭＳと呼ばれるセンサで検出することにより、レリーズボタンを押さなくても撮影が開始される撮影装置から構成され、ＭＥＭＳと呼ばれるセンサの活用が図られた撮影装置が実現される。
【００５０】
図４は第２の実施形態を説明する図である。
【００５１】
図４には、図１，図２で説明したリモコン送受信部を設ける代わりに無線携帯端末である携帯電話機を用いるようにした場合の例が示されている。
【００５２】
図４では、撮影装置に同期して被写体に向けてフラッシュ光を発光するフラッシュ装置が着脱自在に装着されるホットシュー１４を利用して、バイブレータ機能付きの携帯電話機を装着することができるようにした例が示されている。
【００５３】
前述したようにセンサ１１１をＭＥＭＳで構成しているためセンサの検出精度がかなり良くなっているので、上記のような構成であっても充分に撮影処理を精度良く開始させることができる。
【００５４】
図４には携帯電話機の装着を受ける本発明にいうリモコン装着部１４０ａとホットシュー１４に装着される本発明にいうホットシュー装着部１４０ｂとの２つの装着部を持つ装着具１４０が示されている。この装着具１４０に携帯電話機２を装着して、その携帯電話機２が装着された装着具１４０をホットシュー１４に装着するようにしている。
【００５５】
このようにして装着された携帯電話機をマナモードにしておいて、別の携帯電話機から電話をかけることで第１実施形態と同様、このデジタルカメラ１Ｍを振動させることにより撮影処理を開始させることもできる。
【００５６】
このようにすると図１に示したリモコン送受信部を構成するリモコン送信装置１３とリモコン受信装置１２との双方を省くことができるので、撮影装置を製作するにあたって図１に比べ遥かに低コストであってしかも小型の撮影装置を製作することができる。
【００５７】
以上説明したようにレリーズボタンを押す操作ではなくなんらかの外力を与えることによって撮影を開始させることができる撮影装置が実現される。すなわち、上記ＭＥＭＳと呼ばれるセンサが活用された撮影装置が実現される。
【図面の簡単な説明】
【００５８】
【図１】本発明の一実施形態であるデジタルカメラ１の外観を示す図である。
【図２】図１のデジタルカメラ１の内部の構成を説明する構成ブロック図である。
【図３】マイクロコンピュータ１００内のＣＰＵが実行する撮影処理の手順を示すフローチャートである。
【図４】第２の実施形態を説明する図である。
【符号の説明】
【００５９】
１    デジタルカメラ
１ａ    カメラボディ
１０    レンズ鏡胴
１１    シャッタボタン
１２    リモコン受信装置
１３    リモコン送信装置
１４    ホットシュー
１００    マイクロコンピュータ
１１１    角速度センサ
１１２    アンプ
１１３    Ａ／Ｄ変換手段
【図１】
2007047603.tif 000003
【図２】
2007047603.tif 000004
【図３】
2007047603.tif 000005
【図４】
2007047603.tif 000006